(57)【要約】      （修正有）【課題】墓石等を、洗剤等の洗浄剤を用いて清掃することではなく、高温水を用いた洗浄機で、美麗に洗浄し、作業時間が短縮でき、しかも、洗剤等の洗浄液等で環境汚染をすることがない墓石等の清掃用装置を提供する。【解決手段】墓石Ａの表面に付着した塵埃を、ブラシあるいは刷毛で落とし、納骨室Ｂに水が入らないようテープ等の養生材Ｃで養生すると共に、墓石Ａ周囲にシート材Ｄを敷設して使用する墓石等の清掃用装置であって、水の加熱装置やコンプレッサーを備えた高温水発生装置４と該高温水発生装置に連結したホース１の先端にノズル本体を設け、該ノズル本体には、側面洗浄用ノズル２と、上部平面洗浄用ノズルとを取り替え可能に設け、側面洗浄用ノズル２は、ホースと連結管５を介してネジにて、螺着し、上部平面洗浄用ノズルは、ノズル本体と直交方向に形成したネジ穴と螺着して使用することを特徴とする。【選択図】図１
0003145401.tif 000002
【実用新案登録請求の範囲】
【請求項１】
墓石（Ａ）の表面に付着した塵埃を、ブラシあるいは刷毛で落とし、納骨室（Ｂ）に水が入らないようテープ等の養生材（Ｃ）で養生する共に、墓石（Ａ）周囲にシート材（Ｄ）を敷設して使用する墓石等の清掃用装置であって、水の加熱装置やコンプレッサーを備えた高温水発生装置（Ｘ）と該高温水発生装置に連結したホース（１）の先端にノズル本を設け、該ノズル本体は、取り替え可能な側面洗浄用ノズル（２）と、上部平面洗浄用ノズル（３）とを設け、側面洗浄用ノズル（２）は、ホース（１）と連結管（４）を介してネジ（Ｘ）にて、螺着し、上部平面洗浄用ノズル（３）は、ノズル本体（１）と直交方向に形成したネジ穴（Ｘ′）と螺着して使用することを特徴とする墓石等の清掃用装置。
【考案の詳細な説明】
【技術分野】
【０００１】
この考案は、墓石等の清掃用装置に関するものである。
【背景技術】
【０００２】
従来、先祖の遺骨を埋設した墓地にある，墓石並びに花立て、灯籠等その附属物は、大抵は、墓参りの際に、墓石に水をかけたり、あるいは、水をかけた後、墓石の表面を乾いたタオルで拭きとる程度のものであった。
【０００３】
しかし、墓石は、大抵、野ざらし状態で風雨にさらされており、その表面に付着した汚れは、結構、酷いものであった。
【０００４】
また、その墓石の清掃も、夏はともかく、冬季には、杓に入れた水を墓石にかける際、杓の柄を墓石の上面より上に位置させて水を掛けなければ、流れた水が、杓の柄から手・腕を伝って流れるため、衣服が濡れてしまい、煩雑なものであった。
【考案の開示】
【考案が解決しようとする課題】
【０００５】
そこで、この考案は、墓石等を、洗剤等の洗浄剤を用いて清掃することではなく、高温水を用いた洗浄機で、美麗に洗浄し、作業時間が短縮でき、しかも、洗剤等の洗浄液等で環境汚染をすることがない墓石等の清掃用装置を開発する事にある。
【課題を解決するための手段】
【０００６】
この考案は、墓石等の清掃用装置にあたり、水の加熱装置やコンプレッサーを備えた高温水発生装置と該高温水発生装置に連結したホースの先端にノズル本体を、側面洗浄用ノズルと上部平面洗浄用ノズルに切り替え可能に設け墓石等の清掃用装置から構成される。
【考案の効果】
【０００７】
この考案によると、墓石を高温水をノズル（２）（３）で噴射する高温洗浄機（４）を用いて、清掃するため、洗剤等の洗浄剤を用いる必要がなく、短時間に、汚れが落ち、また、ノズルは、側面洗浄用ノズル（２）と、上部平面洗浄用ノズル（３）とに切り替え可能に設けているため、墓石（Ａ）の部位（側面、上部平面等）によってノズルを選択してホースに装着すれば、楽に、洗浄出来る等極めて有効なる効果を奏するものである。
【実施例】
【０００８】
次に、この考案の一実施例を図面に基づいて詳細に説明すると、墓石（Ａ）の表面に付着した塵埃を、ブラシあるいは刷毛で落とし、納骨室（Ｂ）に水が入らないようテープ等の養生材（Ｃ）で養生する共に、墓石（Ａ）周囲にシート材（Ｄ）を敷設して使用する墓石等の清掃用装置であって、水の加熱装置やコンプレッサーを備えた高温水発生装置（４）と該高温水発生装置に連結したホース（１）の先端にノズル本体を設け、該ノズル本体には、取り替え可能な側面洗浄用ノズル（２）と、上部平面洗浄用ノズル（３）とを設け、これら各ノズル（２）（３）の先端は、それぞれ縦・横のいずれかの一方を短く、他方を長く偏平状に形成し、側面洗浄用ノズル（２）は、ホース（１）と連結管（５）を介してネジ（Ｘ）にて、螺着し、上部平面洗浄用ノズル（３）は、ノズル本体（１）と直交方向に形成したネジ穴（Ｘ′）と螺着して使用することを特徴とする墓石等の清掃用装置から構成される。
【０００９】
尚、使用にあたっては、養生材（Ｃ）である養生テープを用いて、納骨室（Ｘ）の隙間に貼着して、高温水の侵入を阻止するものであり、また、シート材（Ｄ）は、防水性シートであり、高温水を冷まして水はけをよくして放流するものである。また、洗浄後、乾いた墓石（Ａ）にはフッソ剤（Ｅ）を塗布してコーティングしてもよい。
【００１０】
また、高温水をノズル（２）（３）で噴射する高温水発生装置（４）とは、灯油、あるいはガスを熱源とする加熱装置やコンプレッサーを備えたものであり、吐出温度が１２０℃の高温水をノズル（２）（３）の先端口で水蒸気として汚れを剥離するものである。
【産業上の利用可能性】
【００１１】
この考案の墓石等の清掃用装置の技術を利用して、実施することにより、産業上の利用可能性がある。
【図面の簡単な説明】
【００１２】
【図１】この考案の一実施例を示す説明図である。
【図２】この考案に使用するノズルの一実施例を示し，（ａ）は、ノズルの側面図、（ｂ）は、連結管に螺着した状態のノズルの側面図である。
【図３】この考案に使用するノズルの他の一実施例を示し，（ａ）は、ノズルの側面図、（ｂ）は、連結管に螺着した状態のノズルの側面図である。
【符号の説明】
【００１３】
１  ホース
２  側面洗浄用ノズル
３  上部平面洗浄用ノズル
４  高温水発生装置
５  連結管
Ａ  墓石
Ｂ  納骨室
Ｃ  テープ等の養生材
Ｄ  シート材
Ｅ  フッ素剤
Ｘ  ネジ
Ｘ′ネジ穴
【図１】
0003145401.tif 000003
【図２】
0003145401.tif 000004
【図３】
0003145401.tif 000005
【手続補正書】
【提出日】平成20年8月6日(2008.8.6)
【手続補正１】
【補正対象書類名】実用新案登録請求の範囲
【補正対象項目名】請求項１
【補正方法】変更
【補正の内容】
【請求項１】
納骨室（Ｂ）を内部に有する墓石（Ａ）の表面に付着した塵埃を、ブラシあるいは刷毛で落とし、納骨室（Ｂ）に水が入らないようテープ等の養生材（Ｃ）で養生する共に、墓石（Ａ）周囲にシート材（Ｄ）を敷設して使用する墓石等の清掃用装置であって、水の加熱装置やコンプレッサーを備えた高温水発生装置（４）と該高温水発生装置（４）に連結したホース（１）の先端にノズル本体を設け、該ノズル本体は、取り替え可能な側面洗浄用ノズル（２）と、上部平面洗浄用ノズル（３）とを設け、側面洗浄用ノズル（２）は、ホース（１）と連結管（５）を介してネジ（Ｘ）にて、螺着し、上部平面洗浄用ノズル（３）は、ノズル本体（１）と直交方向に形成したネジ穴（Ｘ′）と螺着して使用することを特徴とする墓石等の清掃用装置。
【手続補正２】
【補正対象書類名】明細書
【補正対象項目名】０００８
【補正方法】変更
【補正の内容】
【０００８】
次に、この考案の一実施例を図面に基づいて詳細に説明すると、納骨室（Ｂ）を内部に有する墓石（Ａ）の表面に付着した塵埃を、ブラシあるいは刷毛で落とし、納骨室（Ｂ）に水が入らないようテープ等の養生材（Ｃ）で養生する共に、墓石（Ａ）周囲にシート材（Ｄ）を敷設して使用する墓石等の清掃用装置であって、水の加熱装置やコンプレッサーを備えた高温水発生装置（４）と該高温水発生装置（４）に連結したホース（１）の先端にノズル本体を設け、該ノズル本体は、取り替え可能な側面洗浄用ノズル（２）と、上部平面洗浄用ノズル（３）とを設け、側面洗浄用ノズル（２）は、ホース（１）と連結管（５）を介してネジ（Ｘ）にて、螺着し、上部平面洗浄用ノズル（３）は、ノズル本体（１）と直交方向に形成したネジ穴（Ｘ′）と螺着して使用することを特徴とする墓石等の清掃用装置から構成される。
【手続補正３】
【補正対象書類名】明細書
【補正対象項目名】０００９
【補正方法】変更
【補正の内容】
【０００９】
尚、使用にあたっては、養生材（Ｃ）である養生テープを用いて、納骨室（Ｂ）の隙間に貼着して、高温水の侵入を阻止するものであり、また、シート材（Ｄ）は、防水性シートであり、高温水を冷まして水はけをよくして放流するものである。また、洗浄後、乾いた墓石（Ａ）にはフッソ剤（Ｅ）を塗布してコーティングしてもよい。